(57)【要約】【課題】温度補正のための専用の温度センサを設けることなく簡単に炭酸ガス濃度を求める。【解決手段】炭酸ガスを溶解させた湯を浴槽２に供給する炭酸風呂である。浴槽２の湯を循環させるための循環路１１を設ける。循環路１１に加熱部１を設け、循環路１１の加熱部１よりも上流側に湯温を検知する湯温検知手段１９を備える。湯温検知手段１９による検知温度が所定温度以下において浴槽２の湯を循環路１１に吸い込み且つ加熱部１で加熱して浴槽２に供給すると共に、湯温検知手段１９による検知温度が所定温度になると湯の循環と加熱部１による加熱を停止するように構成する。循環路１１の加熱部１よりも上流側に炭酸ガスの濃度を測定するための濃度測定センサ２９を設け、濃度測定センサ２９で測定した炭酸ガス濃度を循環路１１の湯温検知手段１９で検出した湯温で補正する。【選択図】        図１
2011212127.tif 000002
【特許請求の範囲】
【請求項１】
炭酸ガスを溶解させた湯を浴槽に供給する炭酸風呂において、浴槽の湯を循環させるための循環路を設け、循環路に加熱部を設け、循環路の加熱部よりも上流側に湯温を検知する湯温検知手段を備え、湯温検知手段による検知温度が所定温度以下において浴槽の湯を循環路に吸い込み且つ加熱部で加熱して浴槽に供給すると共に、湯温検知手段による検知温度が所定温度になると湯の循環と加熱部による加熱を停止するように構成し、循環路の加熱部よりも上流側に炭酸ガスの濃度を測定するための濃度測定センサを設け、濃度測定センサで測定した炭酸ガス濃度を循環路の湯温検知手段で検出した湯温で補正することを特徴とする炭酸風呂。
【発明の詳細な説明】
【技術分野】
【０００１】
本発明は、炭酸風呂に関するものである。
【背景技術】
【０００２】
従来から、湯に炭酸ガスを混入して溶解する炭酸風呂が特許文献１により知られている。
【０００３】
炭酸風呂は、湯に炭酸ガスが溶け込んでいるため炭酸ガスによる入浴者の末梢血管の拡張作用等で血行を促進し、入浴者に対する保温作用があり、また、末梢循環障害の治療に効果があると言われている。
【先行技術文献】
【特許文献】
【０００４】
【特許文献１】特開平８−２１５２７０号公報
【発明の概要】
【発明が解決しようとする課題】
【０００５】
上記のような炭酸風呂において、炭酸ガスの溶解度を制御するには、配管経路の途中にｐＨセンサなどの濃度測定装置を設置して、炭酸ガス溶解度を制御している。
【０００６】
しかし、ｐＨセンサを用いた濃度測定には温度補正が必要であり、濃度測定装置に温度補正のための専用の温度センサが必要になるという問題がある。
【０００７】
本発明は、上記の従来の問題点に鑑みて発明したもので、温度補正のための専用の温度センサを設けることなく簡単に炭酸ガス濃度を求めることができる炭酸風呂を提供するにある。
【課題を解決するための手段】
【０００８】
本発明の炭酸風呂は、炭酸ガスを溶解させた湯を浴槽２に供給する炭酸風呂において、浴槽２の湯を循環させるための循環路１１を設け、循環路１１に加熱部１を設け、循環路１１の加熱部１よりも上流側に湯温を検知する湯温検知手段１９を備え、湯温検知手段１９による検知温度が所定温度以下において浴槽２の湯を循環路１１に吸い込み且つ加熱部１で加熱して浴槽２に供給すると共に、湯温検知手段１９による検知温度が所定温度になると湯の循環と加熱部１による加熱を停止するように構成し、循環路１１の加熱部１よりも上流側に炭酸ガスの濃度を測定するための濃度測定センサ２９を設け、濃度測定センサ２９で測定した炭酸ガス濃度を循環路１１の湯温検知手段１９で検出した湯温で補正することを特徴とする。
【０００９】
このような構成とすることで、追い焚き用の際に湯温を検知するために備わっている湯温検知手段１９を用いて検出した湯温により、濃度測定センサ２９で測定した炭酸ガス濃度を温度補正して正しい濃度を推定することができる。
【発明の効果】
【００１０】
本発明は、循環路の加熱部よりも上流側に炭酸ガスの濃度を測定するための濃度測定センサを設け、濃度測定センサで測定した炭酸ガス濃度を循環路の湯温検知手段で検出した湯温で補正するので、追い焚き用の際の湯温検知のために備わっている湯温検知手段を濃度測定センサの温度補正のための温度センサとして兼用でき、この結果、温度補正専用の温度センサを設ける必要がなく、簡単な構成で炭酸ガス濃度を温度補正して正しい濃度を推定することができる。
【図面の簡単な説明】
【００１１】
【図１】本発明の一実施形態の概略構成図である。
【図２】同上の制御ブロック図である。
【図３】同上の通常風呂モードにおける湯張りを示す説明図である。
【図４】同上の炭酸風呂モードにおける湯張りを示す説明図である。
【図５】同上の追い焚きを示す説明図である。
【図６】本発明の他の実施形態の概略構成図である。
【図７】本発明の更に他の実施形態の概略構成図である。
【発明を実施するための形態】
【００１２】
以下、本発明を添付図面に示す実施形態に基づいて説明する。
【００１３】
図１には本発明の炭酸風呂の一実施形態の概略構成図を示しており、図２には本発明の制御ブロック図を示している。
【００１４】
浴槽２には供給口５と吸込口６を設けており、図においては供給口５と吸込口６を一つの供給・吸込アダプタ７に設け、この供給・吸込アダプタ７を浴槽２に取付けている。
【００１５】
供給口５に供給路８の一端部を接続し、吸込口６に戻し路９の一端部を接続している。
【００１６】
供給路８の他端部と戻し路９の他端部を通接続して循環路１１を構成しており、この供給路８の他端部と戻し路９の他端部の連通接続部分に水道水が供給される給水路１０の先端部を連通接続している。
【００１７】
給水路１０に弁１７を設けている。
【００１８】
供給路８には給水路１０から供給される水を加熱する加熱部１を設けている。この加熱部１は、例えば、供給路８の一部が熱交換部１ａとなっていて、この熱交換部１ａを、図示を省略したバーナなどの熱源により加熱した熱媒との熱交換で加熱したり、あるいは、熱交換部１ａをバーナで加熱することで、熱交換部１ａを通る水を加熱して目的とする温度の湯を形成するようになっている。
【００１９】
ここで、加熱部１で加熱される湯の温度は、操作盤１２に設けた湯温設定釦２１を操作することで、制御部４により湯温調整手段１８を制御して任意の設定温度になるように制御される。湯温調整手段１８としては、例えば、給水路１０に設けた弁１７の開き度を調整することによる給水路１０からの水の給水量の調整、後述の循環ポンプ３による浴槽２内の湯の循環量の調整、熱交換部１ａを加熱する熱媒の流量調整、バーナに対する熱量の調整等を挙げることができる。
【００２０】
供給路８の加熱部１より下流に炭酸ガスを混入溶解する炭酸ガス溶解部１３を設けている。
【００２１】
炭酸ガス溶解部１３に炭酸ガス供給路１４の一端部を接続し、炭酸ガス供給路１４の他端部に炭酸ガスボンベ１５を接続しており、炭酸ガス供給路１４の途中に弁１６を設けている。なお、弁１６は炭酸ガス溶解部１３に設けてもよい。
【００２２】
戻し路９には、濃度測定センサ２９、循環ポンプ３、サーミスタのような湯温検知手段１９、弁２０を設けている。
【００２３】
濃度測定センサ２９は、炭酸ガスの濃度（炭酸ガスの溶解濃度）を測定するためのもので、戻し路９内の循環ポンプ３よりも上流側（浴槽２に近い側）に設けられ、図１の実施形態では循環ポンプ３の近くに設けている。なお、図示を省略しているが、戻し路９の最上流端部である吸込口６付近に設けてもよい。
【００２４】
また、湯温検知手段１９は循環ポンプ３よりも下流側（加熱部１に近い側）に設け、更に、弁２０は湯温検知手段１９よりも下流側に設けている。
【００２５】
なお、図１の実施形態では給水路１０、戻し路９にそれぞれ弁１７、２０を設けた例を示しているが、これらの弁１７、２０に代えて給水路１０と戻し路９と供給路８が三方切替弁を介して連通接続するように構成してもよい。
【００２６】
操作盤１２には前述の湯温設定釦２１の他に、電源釦２２、モード設定釦２３、自動湯張り釦２４、湯張り量設定釦２５、追い焚き釦２６を設けてあり、更に、図示を省略しているが、たし湯をするためのたし湯釦等が設けてある。また、操作盤１２には表示部２７が設けてある。
【００２７】
本実施形態において、加熱部１で加熱された湯に炭酸ガスを溶解して浴槽２に供給する炭酸風呂モードと、炭酸ガスを溶解しない湯を浴槽２に供給する通常風呂モードとを備えており、操作盤１２に設けたモード設定釦２３を操作することで、炭酸風呂モード、通常風呂モードのいずれかを選択できるようになっている。
【００２８】
通常風呂モードに設定して運転する場合は、まず、電源釦２２をオン操作する。電源がオンになると表示部２７に前回の運転モード、湯温の設定温度、設定湯量が表示される。表示部２７に表示された運転モードが通常風呂モードの場合はそのまま、炭酸風呂モードの場合はモード設定釦２３を操作して通常風呂モードに設定する。また、表示部２７に設定された設定温度、設定湯量を変えない場合はそのまま、変える場合は湯温設定釦２１、湯張り量設定釦２５を操作して任意の設定温度、設定湯量にする。その後、自動湯張り釦２４をオン操作すると、制御部４により弁１７を開、弁２０を閉、循環ポンプ３をオフ、弁１６を閉になるように制御すると共に、湯温調整手段１８を制御して、図３の矢印のように、給水路１０から供給される水を加熱部１で操作盤１２で設定された設定温度に加熱して供給路８の端部の供給口５から浴槽２内に供給する。
【００２９】
このようにして操作盤１２で設定された設定温度の湯を操作盤１２で設定された設定湯量となるように張り湯する。そして、設定湯量になると、図示を省略している湯量測定手段により検出し、制御部４により弁１７を閉、弁２０を閉、循環ポンプ３をオフ、弁１６を閉になるように制御すると共に、湯温調整手段１８による加熱を停止する。
【００３０】
上記のようにして湯張りが終了すると、一定時間（例えば１０分）毎に、湯温検知手段１９により戻し路９内の湯温を検知するよう制御される。そして、湯温検知手段１９により湯温が設定温度よりも低い追い焚き温度に低下したことを検知すると、制御部４により、弁１７を閉、弁２０を開、循環ポンプ３をオン、弁１６を閉になるように制御すると共に、湯温調整手段１８を制御して、図５の矢印のように、浴槽２内の湯を吸込口６から循環路１１に吸込み、加熱部１で加熱して供給口５から浴槽２に供給する。そして、湯温が設定温度になると湯温検知手段１９で検知し、制御部４により弁１７を閉、弁２０を閉、循環ポンプ３をオフ、弁１６を閉になるように制御すると共に、湯温調整手段１８による加熱を停止する。ここで、循環ポンプ３が運転している追い焚きの際は、上記湯温検知手段１９による湯温測定の間隔は湯張り時よりも短い間隔となっている。
【００３１】
一方、炭酸風呂モードに設定して運転する場合は、まず、電源釦２２をオン操作する。電源がオンになると表示部２７に前回の運転モード、湯温の設定温度、設定湯量が表示される。表示部２７に表示された運転モードが炭酸風呂モードの場合はそのまま、また、通常風呂モードの場合はモード設定釦２３を操作して炭酸風呂モードに設定する。炭酸風呂モードに設定すると、表示部２７に炭酸風呂モードのモード表示と、設定された炭酸ガス濃度が表示される。また、表示部２７に設定された設定温度、設定湯量を変えない場合はそのまま、変える場合は湯温設定釦２１、湯張り量設定釦２５を操作して任意の設定温度、設定湯量にする。その後、自動湯張り釦２４をオン操作すると、制御部４により弁１７が開、弁２０を閉、循環ポンプ３をオフ、弁１６を開になるように制御すると共に、湯温調整手段１８を制御して、図４の矢印のように、給水路１０から供給される水を加熱部１で操作盤１２で設定された設定温度に加熱し、加熱された湯に炭酸ガス溶解部１３で炭酸ガスを混入溶解し、この炭酸ガス溶解湯を供給口５から浴槽２内に供給する。
【００３２】
このようにして操作盤１２で設定された設定温度の湯を操作盤１２で設定された設定湯量となるように炭酸ガス溶解湯を張り湯する。そして、設定湯量になると、図示を省略している湯量測定手段により検出し、制御部４により弁１７を閉、弁２０を閉、循環ポンプ３をオフ、弁１６を閉になるように制御すると共に、湯温調整手段１８による加熱を停止する。
【００３３】
この湯張りの際、炭酸ガス供給路１４に設けた弁１６を制御部４からの制御信号で開制御するに当たり、設定された開量となるように開量が制御され、設定された炭酸ガス濃度の湯が浴槽２に湯張りされる。
【００３４】
上記のようにして炭酸ガス溶解湯の湯張りが終了すると、湯温検知手段１９により所定間隔をおいて湯温の検知を行い、湯温検知手段１９により湯温が設定温度よりも低い追い焚き温度に低下したことを検知すると、前述の普通風呂モードと同様に、制御部４により制御して、図５の矢印のように、炭酸ガス溶解湯を循環させ、湯温が設定温度になると制御部４により弁１７を閉、弁２０を閉、循環ポンプ３をオフ、弁１６を閉になるように制御すると共に、湯温調整手段１８による加熱を停止する。
【００３５】
また、湯張りされた炭酸ガスが溶解した湯は、時間の経過と共に析出するため炭酸ガス溶解濃度が低下していく。この炭酸ガスの溶解濃度を戻し路９に設けた濃度測定センサ２９で測定し、測定値を制御部４にリモコン信号を介して送信する。制御部４に入力された炭酸ガスの測定値は、制御部４に設けた温度補正手段３０により、上記温度検知手段１９で求める戻し路９を流れる戻し湯の湯温の測定値で温度補正が行われ、現状における正しい炭酸ガス濃度が推定され、該推定された炭酸ガス濃度を表示部２７に表示すると共に、上記温度補正を行った現状における正しい炭酸ガス濃度に基づき、目的とする設定濃度となるように、上記追い焚き運転時に、炭酸ガス供給路１４に設けた弁１６の開量、開き時間を制御部４で制御する。
【００３６】
この追い焚き運転の際に、設定温度になる前に炭酸ガス濃度が設定濃度に達すると、弁１６を閉じ炭酸ガスの供給を停止するが、湯の循環、加熱は継続して所定湯温に達すると追い焚き運転を停止する。
【００３７】
また、追い焚き運転において湯温が所定温度に達しても炭酸ガス濃度が所定濃度に達しない場合は、加熱部１による加熱は停止するが、循環ポンプ３の運転は継続して循環する湯に炭酸ガスを供給し、炭酸ガス濃度が所定濃度になると、循環ポンプ３、弁１６をそれぞれオフにする。
【００３８】
このように、湯温が低下した場合における濃度測定センサ２９で測定した炭酸ガス濃度の温度補正をするために、温度センサとして追い焚き運転において用いる温度検知手段１９を兼用することで、炭酸ガス濃度の温度補正用の専用の温度センサを必要としない。
【００３９】
前記図１に示す実施形態では、同一の加熱部１で湯張りの際の加熱と、追い焚きの際の加熱を行うシステムの例で説明したが、図６、図７のように、加熱部１を、湯張り用の加熱部１Ａと、これと別の追い焚き用の加熱部１Ｂで構成してもよい。なお、図中３６は給湯装置である。図６、図７においては、作図上、追い焚き用の加熱部１Ｂを給湯装置３６と別位置に記載しているが、実際は給湯装置３６に湯張り用の加熱部１Ａと追い焚き用の加熱部１Ｂを備えている。
【００４０】
以下、図６に示す実施形態を説明する。
【００４１】
図６に示す実施形態は、加熱部１を、湯張り用の加熱部１Ａと、湯張り用の加熱部１Ａとは別の追い焚き用の加熱部１Ｂで構成したもので、循環路１１における供給路８の他端部と戻し路９の他端部の連通接続部分に、湯張り用の加熱部１Ａで加熱された湯を供給する給湯路３４の先端部を連通接続している。
【００４２】
給湯路３４の途中は、湯のみを通過させる第１給湯路３４ａと、炭酸ガス溶解部１３を設けた第２給湯路３４ｂとに分岐しており、下流側で再び一つの給湯路３４として合流している。
【００４３】
第１給湯路３４ａと、第２給湯路３４ｂの炭酸ガス溶解部１３の上流側にはそれぞれ弁３５ａ、３５ｂを設けている。
【００４４】
図６において、上記説明以外の構成は、図１に示す構成と同じであるので説明は省略する。なお、図１と同じ構成には同じ符号を付している。
【００４５】
この図６に示す実施形態において通常風呂モードに設定して運転する場合は、図１の実施形態と同様、電源釦２２をオン操作し、次に、表示部２７に表示された運転モードが通常風呂モードの場合はそのまま、炭酸風呂モードの場合はモード設定釦２３を操作して通常風呂モードに設定する。また、表示部２７に設定された設定温度、設定湯量を変えない場合はそのまま、変える場合は湯温設定釦２１、湯張り量設定釦２５を操作して任意の設定温度、設定湯量にする。その後、自動湯張り釦２４をオン操作すると、制御部４により弁３５ａを開、弁３５ｂを閉、弁２０を閉、循環ポンプ３をオフ、弁１６を閉になるように制御すると共に、湯温調整手段１８を制御して、追い焚き用の加熱部１Ｂをオフ、湯張り用の加熱部１Ａをオンにし、湯張り用の加熱部１Ａで操作盤１２で設定された設定温度に加熱した湯を給湯路３４に供給し、第１給湯路３４ａを通過して供給路８を経て供給口５から浴槽２内に供給する。
【００４６】
このようにして操作盤１２で設定された設定温度の湯を操作盤１２で設定された設定湯量となるように張り湯する。そして、設定湯量になると、制御部４により弁３５ａを閉、弁３５ｂを閉、弁２０を閉、循環ポンプ３をオフ、弁１６を閉になるように制御すると共に、湯温調整手段１８による湯張り用の加熱部１Ａでの加熱を停止する。
【００４７】
上記のようにして湯張りが終了すると、一定時間（例えば１０分）毎に、湯温検知手段１９により戻し路９内の湯温を検知するよう制御する。そして、湯温検知手段１９により湯温が設定温度よりも低い追い焚き温度に低下したことを検知すると、制御部４により、弁３５ａを閉、弁３５ｂを閉、弁２０を開、循環ポンプ３をオン、弁１６を閉になるように制御すると共に、湯温調整手段１８を制御して、湯張り用の加熱部１Ａをオフ、追い焚き用の加熱部１Ｂをオンにする。これにより、浴槽２内の湯を吸込口６から循環路１１に吸込み、追い焚き用の加熱部１Ｂで加熱して供給口５から浴槽２に供給する。そして、湯温が設定温度になると湯温検知手段１９で検知し、制御部４により弁３５ａを閉、弁３５ｂを閉、弁２０を閉、循環ポンプ３をオフ、弁１６を閉になるように制御すると共に、湯温調整手段１８による追い焚き用の加熱部１Ｂの加熱を停止する。
【００４８】
一方、炭酸風呂モードに設定して運転する場合は、図１の実施形態と同様、運転モードが炭酸風呂モードの場合はそのまま、また、通常風呂モードの場合はモード設定釦２３を操作して炭酸風呂モードに設定する。また、表示部２７に設定された設定温度、設定湯量を変えない場合はそのまま、変える場合は湯温設定釦２１、湯張り量設定釦２５を操作して任意の設定温度、設定湯量にする。その後、自動湯張り釦２４をオン操作すると、制御部４により弁３５ａを閉、弁３５ｂを開、弁２０を閉、循環ポンプ３をオフ、弁１６を開になるように制御すると共に、湯温調整手段１８を制御して、追い焚き用の加熱部１Ｂをオフ、湯張り用の加熱部１Ａをオンにし、湯張り用の加熱部１Ａで操作盤１２で設定された設定温度に加熱した湯を給湯路３４に供給し、第２給湯路３４ｂを通過して供給路８を経て供給口５から浴槽２内に供給する。
【００４９】
上記湯張り時に、第２給湯路３４ｂを湯が流れる際、加熱された湯に炭酸ガス溶解部１３で炭酸ガスを混入溶解し、この炭酸ガス溶解湯を上記のように供給口５から浴槽２内に供給する。
【００５０】
このようにして操作盤１２で設定された設定温度の湯を操作盤１２で設定された設定湯量となるように炭酸ガス溶解湯を張り湯する。そして、設定湯量になると、制御部４により弁３５ａを閉、弁３５ｂを閉、弁２０を閉、循環ポンプ３をオフ、弁１６を閉になるように制御すると共に、湯温調整手段１８による湯張り用の加熱部１Ａでの加熱を停止する。
【００５１】
上記のようにして炭酸ガス溶解湯の湯張りが終了すると、湯温検知手段１９により所定間隔をおいて湯温の検知を行い、湯温検知手段１９により湯温が設定温度よりも低い追い焚き温度に低下したことを検知すると、前述の通常風呂モードと同様に、制御部４により制御して、弁３５ａを閉、弁３５ｂを閉、弁２０を開、循環ポンプ３をオン、弁１６を閉になるように制御すると共に、湯温調整手段１８を制御して、湯張り用の加熱部１Ａをオフ、追い焚き用の加熱部１Ｂをオンにする。これにより、浴槽２内の湯を吸込口６から循環路１１に吸込み、追い焚き用の加熱部１Ｂで加熱して供給口５から浴槽２に供給する。そして、湯温が設定温度になると湯温検知手段１９で検知し、制御部４により弁３５ａを閉、弁３５ｂを閉、弁２０を閉、循環ポンプ３をオフ、弁１６を閉になるように制御すると共に、湯温調整手段１８による追い焚き用の加熱部１Ｂの加熱を停止する。
【００５２】
上記炭酸風呂モードにおいて、濃度測定センサ２９で測定する炭酸ガス濃度が設定濃度以下になると、自動的に足し湯がなされるように制御する。足し湯は湯張りの際と同じ制御であり、これにより、浴槽２内に炭酸ガスを溶解した湯が足し湯され、浴槽２内の湯の炭酸ガス濃度を高くする。この場合、濃度測定センサ２９で測定する炭酸ガス濃度が設定濃度に達すると足し湯を停止するように制御する。また、足し湯を開始した後、濃度測定センサ２９で測定する炭酸ガス濃度が設定濃度に達しなくても、足し湯量が所定量に達すると、足し湯を停止するように制御する。
【００５３】
もちろん、足し湯釦を押すと、湯張りの際と同じ制御で浴槽２内に炭酸ガスを溶解した湯が設定量足し湯をすることができ、この場合も、低下した浴槽２内の炭酸ガス濃度を高くすることができる。
【００５４】
次に、図７に示す本発明の他の実施形態につき説明する。本実施形態は、加熱部１を、湯張り用の加熱部１Ａと、湯張り用の加熱部１Ａとは別の追い焚き用の加熱部１Ｂで構成している。
【００５５】
本実施形態では給水路１０に炭酸ガス溶解部１３を設け、この給水路１０の炭酸ガス溶解部１３より下流側に湯水混合部３７を設け、この湯水混合部３７に湯張り用の加熱部１Ａで加熱された湯を供給する給湯路３４の先端部を連通接続している。
【００５６】
給湯路３４には弁３８を設けている。図７において、上記説明以外の構成は、図１に示す構成と同じであるので説明は省略する。なお、図１と同じ構成には同じ符号を付している。
【００５７】
この図７に示す実施形態において通常風呂モードに設定して運転する場合は、図１の実施形態と同様、電源釦２２をオン操作し、次に、表示部２７に表示された運転モードが通常風呂モードの場合はそのまま、炭酸風呂モードの場合はモード設定釦２３を操作して通常風呂モードに設定する。また、表示部２７に設定された設定温度、設定湯量を変えない場合はそのまま、変える場合は湯温設定釦２１、湯張り量設定釦２５を操作して任意の設定温度、設定湯量にする。その後、自動湯張り釦２４をオン操作すると、制御部４により弁３８を開、弁１７を開、弁２０を閉、循環ポンプ３をオフ、弁１６を閉になるように制御すると共に、湯温調整手段１８を制御して、追い焚き用の加熱部１Ｂをオフ、湯張り用の加熱部１Ａをオンにし、湯張り用の加熱部１Ａで加熱された湯と給水路１０を供給される水の湯水混合部３７における混合割合を調整することで、操作盤１２で設定された設定温度に加熱した湯を供給口５から浴槽２内に供給する。
【００５８】
このようにして操作盤１２で設定された設定温度の湯を操作盤１２で設定された設定湯量となるように張り湯する。そして、設定湯量になると、制御部４により弁３８を閉、弁１７を閉、弁２０を閉、循環ポンプ３をオフ、弁１６を閉になるように制御すると共に、湯温調整手段１８による湯張り用の加熱部１Ａでの加熱を停止する。
【００５９】
上記のようにして湯張りが終了すると、一定時間（例えば１０分）毎に、湯温検知手段１９により戻し路９内の湯温を検知するよう制御する。そして、湯温検知手段１９により湯温が設定温度よりも低い追い焚き温度に低下したことを検知すると、制御部４により、弁３８を閉、弁１７を閉、弁２０を開、循環ポンプ３をオン、弁１６を閉になるように制御すると共に、湯温調整手段１８を制御して、湯張り用の加熱部１Ａをオフ、追い焚き用の加熱部１Ｂをオンにする。これにより、浴槽２内の湯を吸込口６から循環路１１に吸込み、追い焚き用の加熱部１Ｂで加熱して供給口５から浴槽２に供給する。そして、湯温が設定温度になると湯温検知手段１９で検知し、制御部４により弁３８を閉、弁１７を閉、弁２０を閉、循環ポンプ３をオフ、弁１６を閉になるように制御すると共に、湯温調整手段１８による追い焚き用の加熱部１Ｂの加熱を停止する。
【００６０】
一方、炭酸風呂モードに設定して運転する場合は、図１の実施形態と同様、運転モードが炭酸風呂モードの場合はそのまま、また、通常風呂モードの場合はモード設定釦２３を操作して炭酸風呂モードに設定する。また、表示部２７に設定された設定温度、設定湯量を変えない場合はそのまま、変える場合は湯温設定釦２１、湯張り量設定釦２５を操作して任意の設定温度、設定湯量にする。その後、自動湯張り釦２４をオン操作すると、制御部４により弁３８を閉、弁１７を開、弁２０を閉、循環ポンプ３をオフ、弁１６を開になるように制御すると共に、湯温調整手段１８を制御して、追い焚き用の加熱部１Ｂをオフ、湯張り用の加熱部１Ａをオンにし、湯張り用の加熱部１Ａで加熱された湯と給水路１０を供給される水の湯水混合部３７における混合割合を調整することで、操作盤１２で設定された設定温度に加熱した湯を供給口５から浴槽２内に供給する。
【００６１】
上記湯張り時に、給水路１７を流れる水が炭酸ガス溶解部１３を通過する際、炭酸ガス溶解部１３で炭酸ガスを混入溶解し、この炭酸ガス溶解湯を上記のように供給口５から浴槽２内に供給する。
【００６２】
このようにして操作盤１２で設定された設定温度の湯を操作盤１２で設定された設定湯量となるように炭酸ガス溶解湯を張り湯する。そして、設定湯量になると、制御部４により弁３８を閉、弁１７を閉、弁２０を閉、循環ポンプ３をオフ、弁１６を閉になるように制御すると共に、湯温調整手段１８による湯張り用の加熱部１Ａでの加熱を停止する。
【００６３】
上記のようにして炭酸ガス溶解湯の湯張りが終了すると、湯温検知手段１９により所定間隔をおいて湯温の検知を行い、湯温検知手段１９により湯温が設定温度よりも低い追い焚き温度に低下したことを検知すると、前述の通常風呂モードと同様に、制御部４により制御して、弁３８を閉、弁１７を閉、弁２０を開、循環ポンプ３をオン、弁１６を閉になるように制御すると共に、湯温調整手段１８を制御して、湯張り用の加熱部１Ａをオフ、追い焚き用の加熱部１Ｂをオンにする。これにより、浴槽２内の湯を吸込口６から循環路１１に吸込み、追い焚き用の加熱部１Ｂで加熱して供給口５から浴槽２に供給する。そして、湯温が設定温度になると湯温検知手段１９で検知し、制御部４により弁３８を閉、弁１７を閉、弁２０を閉、循環ポンプ３をオフ、弁１６を閉になるように制御すると共に、湯温調整手段１８による追い焚き用の加熱部１Ｂの加熱を停止する。
【００６４】
上記炭酸風呂モードにおいて、濃度測定センサ２９で測定する炭酸ガス濃度が設定濃度以下になると、自動的に足し湯がなされるように制御する。足し湯は湯張りの際と同じ制御であり、これにより、浴槽２内に炭酸ガスを溶解した湯が足し湯され、浴槽２内の湯の炭酸ガス濃度を高くする。この場合、濃度測定センサ２９で測定する炭酸ガス濃度が設定濃度に達すると足し湯を停止するように制御する。また、足し湯を開始した後、濃度測定センサ２９で測定する炭酸ガス濃度が設定濃度に達しなくても、足し湯量が所定量に達すると、足し湯を停止するように制御する。
【００６５】
もちろん、足し湯釦を押すと、湯張りの際と同じ制御で浴槽２内に炭酸ガスを溶解した湯が設定量足し湯をすることができ、この場合も、低下した浴槽２内の炭酸ガス濃度を高くすることができる。
【符号の説明】
【００６６】
１  加熱部
２  浴槽
１１  循環路
１９  給湯温検知手段
２９  濃度測定センサ
【図１】
2011212127.tif 000003
【図２】
2011212127.tif 000004
【図３】
2011212127.tif 000005
【図４】
2011212127.tif 000006
【図５】
2011212127.tif 000007
【図６】
2011212127.tif 000008
【図７】
2011212127.tif 000009